(57)【要約】      （修正有）【課題】誤入力が抑えられ、操作性の向上を図ることができる入力装置およびこれを備えた情報処理装置を提供する。【解決手段】入力装置１は、キーボードモジュール１００と、制御回路３４０とを具備する。キーボードモジュール１００は、複数のキー領域と、複数のキー領域毎の打鍵操作の圧力を検出可能な複数のセンサ素子とを有する。制御回路３４０は、打鍵操作によって複数のセンサ素子で同時に検出された、相互に隣接するキー領域各々の圧力の情報を基に、隣接するキー領域間で打鍵操作に対する入力感度を異ならせる。【選択図】図１
2016162364.tif 000002
【特許請求の範囲】
【請求項１】
複数のキー領域と、前記複数のキー領域毎の打鍵操作の圧力を検出可能な複数のセンサ素子とを有するキーボードモジュールと、
前記打鍵操作によって前記複数のセンサ素子で同時に検出された、相互に隣接するキー領域各々の圧力の情報を基に、前記隣接するキー領域間で前記打鍵操作に対する入力感度を異ならせる制御回路と
を具備する入力装置。
【請求項２】
請求項１に記載の入力装置であって、
前記制御回路は、前記隣接するキー領域各々のうち最も大きな圧力が検出された１のキー領域の入力感度を、他のキー領域の入力感度よりも高くする
入力装置。
【請求項３】
請求項１に記載の入力装置であって、
複数の文字列を表す複数のキー情報および前記打鍵操作による入力履歴を記憶する記憶部をさらに具備し、
前記制御回路は、前記隣接するキー領域各々の圧力の情報、前記複数のキー情報および前記入力履歴を基に、前記隣接するキー領域間で前記入力感度を異ならせる
入力装置。
【請求項４】
請求項１に記載の入力装置であって、
前記打鍵操作による入力履歴を記憶する記憶部をさらに具備し、
前記制御回路は、前記隣接するキー領域各々の圧力の情報および前記入力履歴を基に、前記隣接するキー領域間で前記入力感度を異ならせる
入力装置。
【請求項５】
請求項１に記載の入力装置であって、
前記複数のセンサ素子は、前記打鍵操作の圧力を静電容量の変化として検出する複数の静電容量センサである
入力装置。
【請求項６】
請求項５に記載の入力装置であって、
前記入力感度は、前記複数の静電容量センサ毎に設定される容量変化量の閾値である
入力装置。
【請求項７】
複数のキー領域と、前記複数のキー領域毎の打鍵操作の圧力を検出可能な複数のセンサ素子とを有するキーボードモジュールと、
前記打鍵操作によって前記複数のセンサ素子で同時に検出された、相互に隣接するキー領域各々の圧力の情報を基に、前記隣接するキー領域間で前記打鍵操作に対する入力感度を異ならせる制御回路と、
前記制御回路の出力に基づいて前記打鍵操作に対応する画像を表示する表示部と
を具備する情報処理装置。
【発明の詳細な説明】
【技術分野】
【０００１】
本技術は、キーの打鍵操作を、キー領域毎に加えられる圧力をもとに検出することが可能な入力装置およびこれを備えた情報処理装置に関する。
【背景技術】
【０００２】
入力操作を静電的に検出することが可能な入力装置として、画面に表示されたキーボードをタイピングすることでキー入力を可能とする入力装置が知られている。例えば特許文献１には、表示デバイスとしての機能を有するタイピングパネルにソフトウェアキーボード等のＧＵＩ部品を表示し、表示されたキーをタイピングすることで当該キーを入力する入力デバイスが開示されている。
【先行技術文献】
【特許文献】
【０００３】
【特許文献１】特開２０１２−１４６２６７号公報
【発明の概要】
【発明が解決しようとする課題】
【０００４】
静電容量センサをユーザの打鍵操作を検出するためのセンサとして用いたキーボードでは、打鍵操作が行われたときの静電容量の初期値から変化量が予め決められた閾値を超えたか否かにより有効な打鍵操作が行われか否かを判定している。
【０００５】
しかし、操作面がフラットな場合だとキーの位置がわかりづらく、また、相互に隣接する２つのキーの間など入力位置が適切でない場合には弱い打鍵として検知されてしまい、キーが入力できないという問題がある。一方、強くタイプした場合には、隣接したキーも同時に検出されてしまい、余計な文字が入力されてしまうという問題がある。
【０００６】
以上のような事情に鑑み、本技術の目的は、誤入力が抑えられ、操作性の向上を図ることができる入力装置およびこれを備えた情報処理装置を提供することにある。
【課題を解決するための手段】
【０００７】
本技術の一形態に係る入力装置は、キーボードモジュールと、制御回路とを具備する。
上記キーボードモジュールは、複数のキー領域と、上記複数のキー領域毎の打鍵操作の圧力を検出可能な複数のセンサ素子とを有する。
上記制御回路は、上記打鍵操作によって上記複数のセンサ素子で同時に検出された、相互に隣接するキー領域各々の圧力の情報を基に、上記隣接するキー領域間で上記打鍵操作に対する入力感度を異ならせるように構成される。
【０００８】
上記入力装置においては、上記隣接するキー領域間で打鍵操作に対する入力感度を異ならせる制御回路を備えているため、キー入力を容易としつつ、ユーザの意図に合致する蓋然性の高いキーを優先的に入力することが可能となる。これにより、誤入力が抑えられ、操作性の向上を図れるようになる。
【０００９】
上記制御回路は、上記隣接するキー領域各々のうち最も大きな圧力が検出された１のキー領域の入力感度を、他のキー領域の入力感度よりも高くするように構成されてもよい。
上記構成によれば、操作圧力が最も高いキーが他のキーよりも優先的に入力されるため、誤って隣接するキーをも同時に押圧した場合でも、余計な文字入力が回避されることになる。
【００１０】
上記入力装置は、複数の文字列を表す複数のキー情報および上記打鍵操作による入力履歴を記憶する記憶部をさらに具備してもよい。この場合、上記制御回路は、上記隣接するキー領域各々の圧力の情報、上記複数のキー情報および上記入力履歴を基に、上記隣接するキー領域間で上記入力感度を異ならせるように構成されてもよい。
上記構成によれば、ユーザが入力しようとする文字列の予測が可能となるため、操作中に誤って隣接するキーをも同時に押圧した場合であっても、ユーザの意図に合致する蓋然性の高いキーを優先的に入力することが可能となる。
【００１１】
あるいは、上記入力装置は、上記打鍵操作による入力履歴を記憶する記憶部をさらに具備し、上記制御回路は、上記隣接するキー領域各々の圧力の情報および上記入力履歴を基に、上記隣接するキー領域間で上記入力感度を異ならせるように構成されてもよい。
上記構成によれば、使用頻度の高いキーが他のキーよりも優先的に入力されるような制御が可能となるため、誤って隣接するキーをも同時に押圧した場合でも、余計な文字入力が回避されることになる。
【００１２】
上記複数のセンサ素子は、上記打鍵操作の圧力を静電容量の変化として検出する複数の静電容量センサであってもよい。
【００１３】
この場合、上記入力感度は、上記複数の静電容量センサ毎に設定される容量変化量の閾値であってもよい。これに限られず、上記入力感度は、上記キーボードモジュールから出力される各キー領域の圧力情報を、キー領域毎に設定される信号のゲインであってもよい。
【００１４】
本技術の一形態に係る情報処理装置は、キーボードモジュールと、制御回路と、表示部とを具備する。
上記キーボードモジュールは、複数のキー領域と、前記複数のキー領域毎の打鍵操作の圧力を検出可能な複数のセンサ素子とを有する。
上記制御回路は、上記打鍵操作によって上記複数のセンサ素子で同時に検出された、相互に隣接するキー領域各々の圧力の情報を基に、上記隣接するキー領域間で上記打鍵操作に対する入力感度を異ならせるように構成される。
上記表示部は、上記制御回路の出力に基づいて上記打鍵操作に対応する画像を表示することが可能に構成される。
【００１５】
上記情報処理装置においては、上記隣接するキー領域間で打鍵操作に対する入力感度を異ならせる制御回路を備えているため、キー入力を容易としつつ、ユーザの意図に合致する蓋然性の高いキーを優先的に入力することが可能となる。これにより、誤入力が抑えられ、操作性の向上を図れるようになる。
【発明の効果】
【００１６】
以上のように、本技術によれば、操作性の向上を図ることが可能となる。
なお、ここに記載された効果は必ずしも限定されるものではなく、本開示中に記載されたいずれかの効果であってもよい。
【図面の簡単な説明】
【００１７】
【図１】本技術の第１の実施形態に係る入力装置の構成を示すブロック図である。
【図２】上記入力装置におけるキーボードモジュールの要部の概略断面図である。
【図３】上記キーボードモジュールの操作面を示す平面図である。
【図４】上記キーボードモジュールにおける一部のキー領域群に対応する部分の拡大断面図である。
【図５】上記キーボードモジュールの任意のキー領域にユーザの指によって圧力が加えられた状態を示す拡大断面図である。
【図６】上記キーボードモジュールにおける電極基板の構成を示す要部の概略平面図である。
【図７】上記キーボードモジュールを構成する容量素子における鍵操作による容量変化量の推移を示す図である。
【図８】上記容量素子の配置例を示す、キーボードモジュールの要部の概略平面図である。
【図９】上記容量素子の他の配置例を示す、キーボードモジュールの要部の概略平面図である。
【図１０】上記キーボードモジュールの隣接キー領域間に打鍵操作が加わったときの様子を示す要部の概略平面図である。
【図１１】上記入力装置において実行される、隣接キー領域間に打鍵操作が加わったときの制御フローを示す図である。
【図１２】隣接キー領域間に打鍵操作が加わったときの各キー領域の容量変化量の検出例を示す図である。
【図１３】図１１に示す制御フローの実行により、１のキー領域の入力感度が高められた様子を説明する図である。
【図１４】本技術の第２の実施形態に係る入力装置の構成を示すブロック図である。
【図１５】上記入力装置において実行される、隣接キー領域間に打鍵操作が加わったときの制御フローを示す図である。
【発明を実施するための形態】
【００１８】
以下、本技術に係る実施形態を、図面を参照しながら説明する。
【００１９】
＜第１の実施形態＞
［入力装置］
図１は、本技術の第１の実施形態に係る入力装置の構成を示すブロック図である。
本実施形態の入力装置１は、キーボードモジュール１００と、コントローラ３００とを有する。
【００２０】
入力装置１は、表示部Ｄと電気的に接続可能に構成される。これら入力装置１と表示部Ｄとにより、スレート型、デスクトップ型あるいはノート型の情報処理装置が構成される。表示部Ｄは、典型的には、液晶表示装置、有機ＥＬ表示装置等により構成され、その表示面にタッチパネル機能が設けられていてもよい。
【００２１】
（キーボードモジュール）
キーボードモジュール１００は、キー毎の操作領域である複数のキー領域（図３の符号１０ａ）を有する。キーボードモジュール１００は、複数のキー領域１０ａにおいてユーザが指などで任意のキー領域１０ａを打鍵操作したときに、そのキー領域にユーザによって加えられた圧力を検出する複数のセンサ素子を有する。
【００２２】
なお、本明細書において「打鍵」とは、典型的には、１つのキーを押圧することを意味し、「タイピング」は複数のキーを連続的に打鍵することを意味する。
【００２３】
本実施形態では、複数のセンサ素子として、ユーザによって加えられた圧力によって発生するキー領域１０ａのＺ軸方向の変位量に応じて静電容量が連続的に変化する複数の静電容量センサが用いられる。複数の静電容量センサは、キー領域毎に、あるいは、各キーに対応するように配置されている。
【００２４】
図２は、キーボードモジュール１００の概略的な断面図、図３は、キーボードモジュール１００の平面図である。図４は、キーボードモジュール１００の一部のキー領域群に対応する部分拡大断面図であり、図５はキーボードモジュール１００の一作用を説明する部分拡大断面図である。
なお、図中、Ｘ軸およびＹ軸は相互に直交する平面方向（キーボードモジュール１００の面内方向）を示し、Ｚ軸はＸ軸およびＹ軸に直交する方向（キーボードモジュール１００の厚み方向）を示している。
【００２５】
キーボードモジュール１００は、操作部材１０と、電極基板２０と、支持体３０とを有する。
【００２６】
操作部材１０には、Ｘ軸方向とＹ軸方向に沿って行列状に並ぶ複数のキー領域１０ａが設けられている。操作部材１０は、基材１１と導体層１２との積層構造を有する。図５に示すように、操作部材１０は、ユーザの指Ｆなどによって圧力が上から加えられたとき、その加えられた圧力の大きさに対応してＺ軸方向に弾性変形するように構成される。導体層１２は、例えばグランド電位に接続され、電極基板２０と対向する基材１１の裏面に設けられている。
【００２７】
支持体３０は、操作部材１０と電極基板２０との間に設けられ、電極基板２０に対して操作部材１０を弾性変形可能に支持する。支持体３０は、複数の構造体３１と、複数の構造体３１の間に形成された空間部３２と、複数の構造体３１を支持する支持層３３とを有する。複数の構造体３１は弾性変形可能な材料で構成され、操作部材１０の導体層１２の下面と支持層３３の上面との間に配置される。支持層３３は、電極基板２０の上面に配置された可撓性のプラスチックフィルムで構成される。
【００２８】
図６は、電極基板２０の構成をＺ軸方向から見た要部の概略平面図である。図４〜図６に示すように、電極基板２０は、第１の配線基板２１と第２の配線基板２２との積層構造を有する。
【００２９】
第１の配線基板２１には、コントローラ３００からの駆動信号が印加される複数の駆動電極２１１がＹ軸方向に互いに離間して設けられている。一方、第２の配線基板２２には複数の検出電極２２１がＸ軸方向に互いに離間して設けられている。複数の駆動電極２１１と複数の検出電極２２１は互いに格子状に交差して配置される。駆動電極２１１と検出電極２２１との各々の交差部には、駆動電極２１１と検出電極２２１が絶縁材料からなる第１の配線基板２１の基材を介して対向配置されることによって、相互容量型の静電容量センサを構成する容量素子Ｃ（図４、図５）がそれぞれ構成される。駆動電極２１１に交流あるいはパルス状の駆動電圧（駆動信号）が印加されると、駆動信号が容量素子Ｃを介して検出電極２２１に流れ、容量素子Ｃの静電容量に応じた検出電圧が得られる。
【００３０】
容量素子Ｃは、予め設定された初期容量を有する。容量素子Ｃの初期容量は、導体層１２、駆動電極２１１及び検出電極２２１の関係によって与えられる。図４および図５に示すように、操作部材１０がユーザの指Ｆなどによって押圧され、操作部材１０の導体層１２と駆動電極２１１とのＺ軸方向での距離がＤ１からＤ２に短くなると、その距離Ｄの短くなった分だけ容量素子Ｃの静電容量が初期容量から変化する（減少する）。この静電容量の変化量は、検出電極２２１を通して得られる検出電圧からコントローラ３００において容量素子Ｃの静電容量の変化情報として検出される。
【００３１】
（コントローラ）
図１および図６に示すように、コントローラ３００は、駆動回路３１０と、スイッチ回路３２０と、検出信号処理部３３０と、制御回路３４０とを有する。
【００３２】
駆動回路３１０は、キーボードモジュール１００の各駆動電極２１１に駆動信号を１行分ずつ時分割で供給する回路である。
【００３３】
スイッチ回路３２０は、キーボードモジュール１００の各検出電極２２１を検出信号処理部３３０に対して１列ずつ時分割で切り替えるスイッチである。
【００３４】
検出信号処理回路３３０は、スイッチ回路３２０によって選択された検出電極２２１の検出信号を増幅し、Ａ／Ｄ変換して制御回路３４０に供給する。検出信号処理回路３３０は、制御回路３４０からの制御指令により増幅のゲインを変化させることが可能である。
【００３５】
制御回路３４０は、ＣＰＵ、ＭＰＵあるいは特定用途向けＩＣなどの制御回路と、ＲＯＭ、ＲＡＭなどのメモリとを備える。メモリには、制御回路３４０によって実行されるプログラムや、そのプログラムを実行するときに用いられる各種の情報が記憶される。メモリに記憶される情報は、打鍵操作に関する処理のための各種パラメータを含む。
【００３６】
制御回路３４０は、メモリに格納されたプログラムを実行することによって入力装置１の制御を行う。具体的には、
１．駆動回路３１０の制御
２．スイッチ回路３２０の制御
３．容量素子Ｃの初期容量からの変化量の算出
４．上記変化量と打鍵判定閾値との比較による打鍵操作有無の判定
５．打鍵操作に対する入力感度の調整
【００３７】
打鍵操作に対する入力感度の調整には、複数のキー領域間で入力感度を異ならせることが含まれる。入力感度を調整する方法としては、
５−１．打鍵判定閾値を調整する方法
５−２．増幅回路のゲインを調整する方法
などがある。
【００３８】
図７は、打鍵操作による容量素子Ｃの初期容量からの変化量の推移を示す図である。
制御回路３４０は、検出電極２２１の検出電圧の変化量をもとに容量素子Ｃの静電容量の初期値からの変化量（以下、容量変化量ともいう）を求める。
【００３９】
図７に示すように、キーボードモジュール１００の任意のキー領域１０ａにユーザの指などによって圧力が加えられると、操作部材１０のそのキー領域１０ａに対応する部分が、加えられた圧力の大きさに対応した量だけＺ軸方向にたわむ（変位する）。操作部材１０の導体層１２と駆動電極２１１とのＺ軸方向での距離が短くなるにつれて、容量素子Ｃの容量変化量が増大する。すなわち、このキーボードモジュール１００では、キー領域１０ａにユーザから加えられた圧力の大きさが、容量素子Ｃの容量変化量として得られる。そして、ユーザによる操作部材１０の押圧が解除されて、操作部材１０の導体層１２と駆動電極２１１とのＺ軸方向での距離がもとの長さに戻ると、容量素子Ｃの容量変化量が減少する。なお、図７において、ユーザによる打鍵操作の前後に変化量が発生しているのはノイズ成分によるものである。
【００４０】
制御回路３４０は、典型的には、各キーに一律又は個別に調整した入力閾値（図７における打鍵判定閾値）を設定し、その閾値を上回る圧力を検知した場合に当該キーに対応する信号を表示部Ｄへ出力する。表示部Ｄは、制御回路３４０に電気的に接続されており、制御回路３４０の出力に基づいて打鍵操作に対応する文字や記号、図形等の画像を表示する。
【００４１】
各キーの打鍵操作を精度よく検出するために、複数の容量素子Ｃは、キーボードモジュール１００の操作面（ＸＹ平面）上にマトリクス状に配置される。その配置形態は特に限定されず、例えば図８および図９に示すように容量素子Ｃが配置される。
【００４２】
図８は、各キーの中央の位置に対応するように複数の容量素子Ｃを配置した例を示している。この配置例では、指の縦横方向の移動が各容量素子Ｃの離散的な容量変化で検知される。つまり、この配置例においては、パンタグラフ式のメカニカルキーボードと同様に、典型的には、各キー領域１０ａに対応して配置された個々の容量素子Ｃの容量変化量に基づいて各キーの打鍵判定が実行される。
【００４３】
一方、図９は、キー配列に関係なく複数の容量素子Ｃを縦横方向に等ピッチで配列した例を示している。この配置例では、指の縦横方向の移動が容量素子間の連続に近い容量変化で検知される。つまり、この配置例においては、１つのキー領域１０ａ及びその周辺に複数の容量素子Ｃが分布して配置されており、これら複数の容量素子Ｃの容量変化量に基づく重心計算によって各キーの打鍵判定が実行される。
【００４４】
ここで、操作面がフラットな場合だとキーの位置がわかりづらく、また、相互に隣接する２つのキーの間など入力位置が適切でない場合には弱い打鍵として検知されてしまい、キーが入力できないという問題がある。一方、強くタイプした場合には、隣接したキーも同時に検出されてしまい、余計な文字が入力されてしまうという問題がある。
そこで本実施形態の入力装置１においては、誤入力を抑制して操作性の向上を図るため、制御回路が以下のように構成されている。
【００４５】
すなわち、制御回路３４０は、打鍵操作によって複数のセンサ素子（容量素子Ｃ）で同時に検出された、相互に隣接するキー領域１０ａ各々の圧力の情報を基に、上記隣接するキー領域１０ａ間で上記打鍵操作に対する入力感度を異ならせるように構成される。このような制御回路３４０を備えた入力装置１においては、キー入力を容易としつつ、ユーザの意図に合致する蓋然性の高いキーを優先的に入力することが可能となる。これにより、誤入力が抑えられ、操作性の向上を図れるようになる。
【００４６】
具体的に、制御回路３４０は、上記隣接するキー領域のうち最も大きな圧力が検出された１のキー領域の入力感度を、他のキー領域の入力感度よりも高くするように構成される。本実施形態では、図１０に示すように、相互に隣接する２つのキー領域１０ａの間が押圧されると、制御回路３４０は、図１１に示すようなフローで打鍵操作に対する入力感度を調整する。
【００４７】
図１０に示すように、例えば、相互に隣接する「Ｑ」及び「Ｗ」の２つのキー領域１０ａの間の点Ｐ０が押圧されると、その圧力が「Ｑ」及び「Ｗ」の２つのキー領域１０ａにも作用する。制御回路３４０は、図１２に示すように、「Ｑ」のキー領域１０ａにおける容量素子Ｃの所定以上の容量変化量（圧力）ΔＣＱと、「Ｗ」のキー領域１０ａにおける容量素子Ｃの所定以上の容量変化量（圧力）ΔＣＷとを同時に検出する（ステップ１０１）。
【００４８】
ここで、「同時に検出する」とは、「一回の打鍵操作で複数のキー領域１０ａに圧力が作用したことを検出する」という意味であり、必ずしも同一の時刻に検出する場合に限られず、時間的に前後して検出する場合も含まれる。
また、「所定以上の容量変化量」とは、隣接する複数のキー領域間を打鍵したと推定される大きさの容量変化量を意味し、典型的には、キー領域の中央を打鍵した際に当該キー領域に隣接する他のキー領域において検出され得る容量変化量よりも大きな値とされる。
【００４９】
各キー領域１０ａの容量変化量は、例えば、ある時刻での圧力分布に対して最大感度を検出した点、及び、その最大感度を検出した点の近傍に位置するキー領域の圧力分布に基づいて決定することができる。
【００５０】
次に、制御回路３４０は、ΔＣＱ及びΔＣＷの総和が打鍵判定閾値を超えるか否かを判定し、上記総和が打鍵判定閾値以下の場合は、入力を無効として打鍵判定処理を終了する（ステップ１０２）。上記打鍵判定閾値は、典型的には、単一のキー領域１０ａに対する打鍵操作が有効と判定されるための圧力に設定される。このように、打鍵操作が検出された複数のキー領域１０ａの容量変化量の総和が上記打鍵判定閾値を超えない場合、当該打鍵操作を無効化することで、例えばキーを探す指の移動などの打鍵準備動作時における誤入力を阻止することが可能となる。
【００５１】
一方、制御回路３４０は、ΔＣＱ及びΔＣＷの総和が打鍵判定閾値を超えると判定したときは、「Ｑ」及び「Ｗ」の２つのキー領域１０ａ各々のうち最も大きな圧力が検出された１のキー領域の入力感度を、他のキー領域の入力感度よりも高くする処理を実行する（ステップ１０３）。例えば、図１２に示すようにΔＣＱの方がΔＣＷよりも大きな容量変化を示した場合、「Ｑ」の入力キー１０ａの入力感度を「Ｗ」の入力キー１０ａの入力感度よりも高くする。その結果、制御回路３４０は、当該打鍵操作が「Ｑ」のキー領域１０ａに対する打鍵操作と判定し、「Ｑ」キーに関連する画像（典型的には文字情報）を表示部Ｄへ出力する。
【００５２】
入力感度を調整する方法は特に限定されず、例えば図１３に示すように打鍵判定閾値をΔＣＱとΔＣＷとの間のいずれかの値に再設定する処理が実行されてもよい。あるいは、「Ｑ」及び「Ｗ」のうち、「Ｑ」のキー領域１０ａの検出感度（ゲイン）を「Ｗ」のそれよりも高める処理が実行されてもよい。
【００５３】
以上のように、操作圧力が最も高いキーが他のキーよりも優先的に入力されるため、誤って隣接するキーをも同時に押圧した場合でも、余計な文字入力が回避されることになる。また、操作圧力が最も高いキーは、ユーザが入力を意図するキーと合致する蓋然性が高いため、操作圧力が最も高いキーの入力感度を高めることで、ユーザの意図に即した入力操作を提供でき、これにより誤入力を抑制して、操作性の向上を図ることが可能となる。
【００５４】
本実施形態の入力装置１は、ストロークがほとんど無い薄型のキーボードにおいて、打鍵前の準備作業の有無や打鍵時の特徴を抽出することで、ユーザが誤入力（タイプミス）する可能性を低減するものであり、例えば以下の作用効果を得ることができる。
【００５５】
本実施形態によれば、上述したように、キーの直上ではない誤った位置で打鍵した場合でも、ユーザの意図したキーを出力することができる。また、制御回路３４０による入力感度を最適化することで、打鍵圧力が弱い場合でも、適正なキー入力判定を実行することができる。さらに、打鍵圧力が最も高いキーが優先的に選択されるため、打鍵したキーの隣接領域にわたって容量変化を生じさせるほどの強い打鍵操作が行われた場合でも、ユーザの意図に即する蓋然性の高いキーのみを出力することができる。
【００５６】
＜第２の実施形態＞
図１４は、本技術の第２の実施形態に係る入力装置の構成を示すブロック図である。以下、第１の実施形態と異なる構成について主に説明し、上述の実施形態と同様の構成については同様の符号を付しその説明を省略または簡略化する。
【００５７】
本実施形態の入力装置２は、キーボードモジュール１００と、コントローラ３００とを有する。本実施形態においてコントローラ３００は、辞書機能等を有する記憶部３５０を備える点で、第１の実施形態と異なる。
【００５８】
記憶部３５０は、典型的には、書き換え可能な不揮発性メモリで構成される。記憶部３５０は、英単語等の複数種の有意の文字列を構成するキーの組み合わせ情報（以下、登録単語情報ともいう）を記憶する。記憶部３５０はさらに、打鍵頻度などの打鍵操作による入力履歴や、正常な入力／誤入力時のキー内の圧力分布等といったユーザ固有の操作情報等を記憶あるいは更新することが可能に構成される。
【００５９】
制御回路３４０は、第１の実施形態と同様に、１回の打鍵操作によって同時に検出された隣接キー領域１０ａ各々の圧力の情報を基に、上記隣接キー領域１０ａ間で上記打鍵操作に対する入力感度を異ならせるように構成される。特に本実施形態では、上記隣接キー領域各々の圧力情報（容量変化量）および記憶部３５０に格納された各種情報を基に、上記隣接キー領域間で入力感度を異ならせるように構成される。その制御フローの一例を図１５に示す。
【００６０】
制御回路３４０は、隣接キー領域間への打鍵操作によって当該隣接キー領域各々における容量素子Ｃの所定以上の容量変化を同時に検出したとき、第１の実施形態と同様に、各キー領域の容量変化量の総和が打鍵判定閾値を超えるか否かを判定し、上記総和が打鍵判定閾値以下の場合は、入力を無効として打鍵判定処理を終了する（ステップ２０１，２０２）。
【００６１】
一方、制御回路３４０は、各キー領域の容量変化量の総和が打鍵判定閾値を超えていると判定したとき、記憶部３５０を参照して候補キーの有無を判定する処理を実行する（ステップ２０３）。ここでは、制御回路３４０は、前回までの打鍵操作で入力されたキー情報と、記憶部３５０に格納された登録単語情報を基に、今回の打鍵操作で検出された複数のキー領域に該当する文字が含まれている場合は「候補キー有り」と判定し、含まれていない場合は「候補キー無し」と判定する。
【００６２】
例えば、「ｋ」，「ｅ」の順でキーが入力されている場合、制御回路３４０は、登録単語情報を基に「ｋｅｅｐ」，「ｋｅｙ」などの単語を予測し、所定以上の容量変化が検出された複数のキーの中に「ｙ」や「ｅ」といった候補キーが有るか否かを判定する。
【００６３】
その結果、「候補キー有り」と判定したときは、候補キーとされたキーが次に入力される確率が高いと予測されるため、制御回路３４０は、候補キーとされたキー領域の入力感度を他のキー領域のそれよりも高くする処理を実行する（ステップ２０４，２０５）。候補キーの入力感度を高める処理としては、例えば、当該候補キーの入力閾値を他のキーの入力閾値よりも小さく設定される。
【００６４】
以上の処理を実行することにより、タイプミスの確率が低減されて、操作性の向上が図れるようになる。また、候補キーが他のキーに比べて圧力が小さい場合にも当該候補キーが優先的に選択されるため、誤入力を正しく補正することが可能となる。このように、ユーザが入力しようとする文字列の予測が可能となるため、操作中に誤って隣接するキーをも同時に押圧した場合であっても、ユーザの意図に合致する蓋然性の高いキーを優先的に入力することが可能となる。
【００６５】
一方、「候補キー無し」と判定したときは、制御回路３４０は、第１の実施形態と同様に、最も圧力の高いキー領域の入力感度を他のキー領域のそれよりも高くする処理を実行する（ステップ２０４，２０６）。これにより、ユーザの意図に即した入力操作を提供することが可能となる。
【００６６】
あるいは上記に代えて、「候補キー無し」と判定したとき、制御回路３４０は、記憶部３５０に格納された打鍵頻度情報を基に、所定以上の容量変化が検出された複数のキーの中からより確率の高いキーを選択し、当該キーの入力感度を高める処理を実行してもよい。この場合、登録単語情報に含まれていないが入力頻度の高い文字列が優先的に選択されるため、タイプミスの低減を図ることが可能となる。このように使用頻度の高いキーが他のキーよりも優先的に入力されることで、誤って隣接するキーをも同時に押圧した場合でも、余計な文字入力が回避されることになる。
【００６７】
制御回路３４０は、候補キーの有無の判定に際して、登録単語情報をベースに参照してもよいし、打鍵頻度情報をベースに参照してもよいし、これらの双方をベースに参照してもよい。また、制御回路３４０は、打鍵頻度が所定以上に達したときに当該文字列を登録単語情報の中に含める処理を実行してもよい。
【００６８】
以上のように、本実施形態においても第１の実施形態と同様の作用効果を得ることができる。特に本実施形態によれば、制御回路３４０は、ユーザの打鍵操作を基に入力文字列の予測が可能となるため、タイプミスが発生する確率をより低減することができるようになる。
【００６９】
以上、本技術の実施形態について説明したが、本技術は上述の実施形態にのみ限定されるものではなく、種々変更を加え得ることは勿論である。
【００７０】
例えば以上の各実施形態では、隣接する２つのキー領域間に打鍵操作が加わったときの状態を説明したが、これに限られず、隣接する３つ以上のキー領域間に打鍵操作が加わったときについても本技術は同様に適用可能である。
【００７１】
また、以上の第２の実施形態では、記憶部３５０に記憶された登録単語情報あるいは打鍵頻度情報の中から候補キーを選択する処理を実行するように構成されたが、この処理に加えて、当該候補キーを表示部Ｄに表示する処理を実行するように構成されてもよい。
【００７２】
さらに以上の各実施形態では、キーボードモジュール１００が表示部Ｄとは別部材で構成されたが、キーボードモジュールと表示部とが一体的に構成されてもよい。この場合、キーボードモジュールは、典型的には、表示部に表示されたソフトウェアキーボードとして構成される。
【００７３】
さらに以上の各実施形態では、打鍵圧力を検出するセンサ素子が静電容量素子で構成されたが、これに限られない。例えば、上記センサ素子は、圧力（接触面積）に応じて抵抗値が連続的に変化する抵抗膜方式のタッチセンサで構成されてもよい。
【００７４】
なお、本技術は以下のような構成もとることができる。
（１）  複数のキー領域と、前記複数のキー領域毎の打鍵操作の圧力を検出可能な複数のセンサ素子とを有するキーボードモジュールと、
前記打鍵操作によって前記複数のセンサ素子で同時に検出された、相互に隣接するキー領域各々の圧力の情報を基に、前記隣接するキー領域間で前記打鍵操作に対する入力感度を異ならせる制御回路と
を具備する入力装置。
（２）上記（１）に記載の入力装置であって、
前記制御回路は、前記隣接するキー領域各々のうち最も大きな圧力が検出された１のキー領域の入力感度を、他のキー領域の入力感度よりも高くする
入力装置。
（３）上記（１）又は（２）に記載の入力装置であって、
複数の文字列を表す複数のキー情報および前記打鍵操作による入力履歴を記憶する記憶部をさらに具備し、
前記制御回路は、前記隣接するキー領域各々の圧力の情報、前記複数のキー情報および前記入力履歴を基に、前記隣接するキー領域間で前記入力感度を異ならせる
入力装置。
（４）上記（１）又は（２）に記載の入力装置であって、
前記打鍵操作による入力履歴を記憶する記憶部をさらに具備し、
前記制御回路は、前記隣接するキー領域各々の圧力の情報および前記入力履歴を基に、前記隣接するキー領域間で前記入力感度を異ならせる
入力装置。
（５）上記（１）〜（４）のいずれか１つに記載の入力装置であって、
前記複数のセンサ素子は、前記打鍵操作の圧力を静電容量の変化として検出する複数の静電容量センサである
入力装置。
（６）上記（５）に記載の入力装置であって、
前記入力感度は、前記複数の静電容量センサ毎に設定される容量変化量の閾値である
入力装置。
（７）  複数のキー領域と、前記複数のキー領域毎の打鍵操作の圧力を検出可能な複数のセンサ素子とを有するキーボードモジュールと、
前記打鍵操作によって前記複数のセンサ素子で同時に検出された、相互に隣接するキー領域各々の圧力の情報を基に、前記隣接するキー領域間で前記打鍵操作に対する入力感度を異ならせる制御回路と、
前記制御回路の出力に基づいて前記打鍵操作に対応する画像を表示する表示部と
を具備する情報処理装置。
【符号の説明】
【００７５】
１，２…入力装置
１０…操作部材
２０…電極基板
３０…支持体
１００…キーボードモジュール
３００…コントローラ
３４０…制御回路
３５０…記憶部
Ｄ…表示部
【図１】
2016162364.tif 000003
【図２】
2016162364.tif 000004
【図３】
2016162364.tif 000005
【図４】
2016162364.tif 000006
【図５】
2016162364.tif 000007
【図６】
2016162364.tif 000008
【図７】
2016162364.tif 000009
【図８】
2016162364.tif 000010
【図９】
2016162364.tif 000011
【図１０】
2016162364.tif 000012
【図１１】
2016162364.tif 000013
【図１２】
2016162364.tif 000014
【図１３】
2016162364.tif 000015
【図１４】
2016162364.tif 000016
【図１５】
2016162364.tif 000017